(57)【要約】【課題】残存容量が少ない２次電池を充電中において、ユーザに充電に関する状況を通知しつつ、充電を支障なく継続できるようにする電子機器、電源状態通知方法及び電源状態通知プログラムを提供する。【解決手段】２次電池の電圧が第１の値未満である場合には（Ｓ２３）、予備充電を行い（Ｓ２４）。予備充電中は電源起動を無効化する。そして電源起動が無効化されている旨の表示を行う（Ｓ２５）。２次電池の電圧が第１の値以上となると、急速充電を開始すると共に、電源起動の無効化を中止する（Ｓ３４，Ｓ３５）【選択図】図６
2010200602.tif 000002
【特許請求の範囲】
【請求項１】
２次電池と、
前記２次電池の電圧が第１の値未満である場合に、第１の電流により前記２次電池を充電し、前記２次電池の電圧が前記第１の値以上である場合に、前記第１の電流より大きい第２の電流により前記２次電池を充電する充電部と、
前記２次電池の電圧が前記第１の値未満である場合には、電源起動を無効化する無効化部と、
前記第１の電流により充電中であって、前記第１の電流が閾値以上である場合には、電源起動が無効化されている旨をユーザに通知する通知部とを備える
ことを特徴とする電子機器。
【請求項２】
画面表示部を更に備え、
前記通知部は、前記電源起動が無効化されている旨を含むメッセージを前記画面表示部に表示することによりユーザに通知することを特徴とする請求項１に記載の電子機器。
【請求項３】
前記通知は、前記第１の電流に係る充電中である旨の通知を含むことを特徴とする請求項１に記載の電子機器。
【請求項４】
前記通知部は、前記第１の電流が前記閾値を下回るときには、前記通知を行わないことを特徴とする請求項１に記載の電子機器。
【請求項５】
画面表示部を備え、
前記第１の電流が前記閾値を下回るときには、前記通知部は、前記画面表示部の電源をＯＮにしないことにより、前記通知手段による通知を行わないとすることを特徴とする請求項４に記載の電子機器。
【請求項６】
前記通知には、電源起動が有効になるまで待つ必要がある旨の通知を含む請求項１記載の電子機器。
【請求項７】
前記通知部は、電源起動が無効化されている旨及び前記２次電池が充電されている旨の少なくともいずれか一方を音声によりユーザに通知する請求項１記載の電子機器。
【請求項８】
２次電池と、
前記２次電池の電圧が所定値未満である場合に、
第１の電流により前記２次電池を充電し、前記２次電池の電圧が前記所定値以上である場合に、前記第１の電流より大きい第２の電流により前記２次電池を充電する充電手段と、
前記２次電池の電圧が所定値未満である場合には、電源起動を無効化する無効化手段と、
前記第１の電流により充電中である間には、電源起動が無効化されている旨をユーザに通知する通知手段とを備えることを特徴とする携帯端末。
【請求項９】
２次電池の電圧が第１の値未満である場合に、第１の電流により前記２次電池を充電し、前記２次電池の電圧が前記第１の値以上である場合に、前記第１の電流より大きい第２の電流により前記２次電池を充電する充電ステップと、
前記２次電池の電圧が前記第１の値未満である場合には、電源起動を無効化する無効ステップと、
前記第１の電流により充電中であって、前記第１の電流が閾値以上である場合には、電源起動が無効化されている旨をユーザに通知する通知ステップとを備えることを特徴とする電源状態通知方法。
【請求項１０】
コンピュータを、
２次電池の電圧が第１の値未満である場合に、第１の電流により前記２次電池を充電し、前記２次電池の電圧が前記第１の値以上である場合に、前記第１の電流より大きい第２の電流により前記２次電池を充電する充電部、
前記２次電池の電圧が前記第１の値未満である場合には、電源起動を無効化する無効化部、
前記第１の電流により充電中であって、前記第１の電流が閾値以上である場合には、電源起動が無効化されている旨をユーザに通知する通知部、として機能させる電源状態通知プログラム。
【発明の詳細な説明】
【技術分野】
【０００１】
本発明は、繰り返し充放電が可能な２次電池を備える電子機器及びこのような電子機器等に適用される電源状態通知方法及び電源状態通知プログラムに関する。
【０００２】
従来、繰り返し充放電が可能な２次電池を備えた電子機器が知られている。このような２次電池においては、過放電された２次電池を充電する際に、電池の安全性確保および劣化防止するために最初は低い電流で充電（予備充電）を行い、その後、より大きな電流を流して充電（急速充電）するものがある。
【先行技術文献】
【特許文献】
【０００３】
【特許文献１】特開２００３−９２８４１号公報
【発明の概要】
【発明が解決しようとする課題】
【０００４】
予備充電は、２次電池の残存容量が少ない（電池電圧が低い）場合に行われる。残存容量が少ない状態では電池の電流供給能力が小さいため、予備充電中に電源が起動していると、ユーザが電子機器から充電器を取り外した途端に電子機器のシステムがダウンするような事態が発生する可能性がある。
【０００５】
従って、予備充電中等の低い電圧下での充電中には、電源起動を受け付けないことが好ましい。
【０００６】
しかし、電源起動を受け付けない旨をユーザに対して何も通知しないと、ユーザは、電源起動キーを押下したのに電源起動できないことに対して故障ではないかという不安を抱いてしまうことが考えられる。
【０００７】
このような２次電池を備えた電子機器において、２次電池の充電中における利便性を向上させることが求められる。
【課題を解決するための手段】
【０００８】
本発明の第１の局面は、２次電池と、前記２次電池の電圧が第１の値未満である場合に、第１の電流により前記２次電池を充電し、前記２次電池の電圧が前記第１の値以上である場合に、前記第１の電流より大きい第２の電流により前記２次電池を充電する充電部と、前記２次電池の電圧が前記第１の値未満である場合には、電源起動を無効化する無効化部と、前記第１の電流により充電中であって、前記第１の電流が閾値以上である場合には、電源起動が無効化されている旨をユーザに通知する通知部とを備える電子機器である。
【０００９】
本発明の第２の局面は、第１の局面において、画面表示部を更に備え、記通知部は、前記電源起動が無効化されている旨を含むメッセージを前記画面表示部に表示することによりユーザに通知することを特徴とする。
【００１０】
本発明の第３の局面は、第１の局面において、前記通知は、前記第１の電流に係る充電中である旨の通知を含むことを特徴とする。
【００１１】
本発明の第４の局面は、第１の局面において、前記通知部は、前記第１の電流が前記閾値を下回るときには、前記通知を行わないことを特徴とする。
【００１２】
本発明の第５の局面は、第４の局面において、画面表示部を備え、前記第１の電流が前記閾値を下回るときには、前記通知部は、前記画面表示部の電源をＯＮにしないことにより、前記通知手段による通知を行わないとすることを特徴とする。
【００１３】
本発明の第６の局面は、第１の局面において、前記通知には、電源起動が有効になるまで待つ必要がある旨の通知を含む。
【００１４】
本発明の第７の局面は、第１の局面において、前記通知部は、電源起動が無効化されている旨及び前記２次電池が充電されている旨の少なくともいずれか一方を音声によりユーザに通知する。
【００１５】
本発明の第８の局面は、２次電池と、前記２次電池の電圧が所定値未満である場合に、第１の電流により前記２次電池を充電し、前記２次電池の電圧が前記所定値以上である場合に、前記第１の電流より大きい第２の電流により前記２次電池を充電する充電手段と、前記２次電池の電圧が所定値未満である場合には、電源起動を無効化する無効化手段と、前記第１の電流により充電中である間には、電源起動が無効化されている旨をユーザに通知する通知手段とを備えることを特徴とする。
【００１６】
本発明の第９の局面は、２次電池の電圧が第１の値未満である場合に、第１の電流により前記２次電池を充電し、前記２次電池の電圧が前記第１の値以上である場合に、前記第１の電流より大きい第２の電流により前記２次電池を充電する充電ステップと、前記２次電池の電圧が前記第１の値未満である場合には、電源起動を無効化する無効ステップと、前記第１の電流により充電中であって、前記第１の電流が閾値以上である場合には、電源起動が無効化されている旨をユーザに通知する通知ステップとを備えることを特徴とする充電状態通知方法である。
【００１７】
本発明の第１０の局面は、コンピュータを、２次電池の電圧が第１の値未満である場合に、第１の電流により前記２次電池を充電し、前記２次電池の電圧が前記第１の値以上である場合に、前記第１の電流より大きい第２の電流により前記２次電池を充電する充電部、前記２次電池の電圧が前記第１の値未満である場合には、電源起動を無効化する無効化部、前記第１の電流により充電中であって、前記第１の電流が閾値以上である場合には、電源起動が無効化されている旨をユーザに通知する通知部、として機能させる充電状態通知プログラムである。
【発明の効果】
【００１８】
本発明によれば、第１の電流により充電中である場合には、無効化部は電源起動を無効化するので、上記所定値が例えば電源起動を安定して行いにくい状況下における電圧値である場合などにおいて、電源が起動されることを阻止できる。しかも、通知部により電源起動が無効化されている旨をユーザに通知するので、通知を受けたユーザは電源起動ができないことを理解することができ、ユーザに故障ではないかという不安を抱かせないようにでき、利便性を向上させることができる。
【図面の簡単な説明】
【００１９】
【図１】携帯電話機１の外観を示す図
【図２】携帯電話機１の充放電制御に関する機能ブロック
【図３】（ａ）ＭｉｃｒｏＵＳＢ接続端子２０の構造を示す図、（ｂ）ＭｉｃｒｏＵＳＢ接続端子２０の構造とＡＣアダプタ１０２用のアダプタケーブル１０１の構造を示す図、（ｃ）ＭｉｃｒｏＵＳＢ接続端子２０の構造とＰＣ１０４用のＵＳＢケーブル１０３の構造を示す図
【図４】システム部５０の機能ブロック図
【図５】携帯電話機１の充電に関する処理を示すフローチャート
【図６】携帯電話機１の充電に関する処理を示すフローチャート
【図７】携帯電話機１の充電に関する処理を示すフローチャート
【図８】携帯電話機１の充電に関する処理を示すフローチャート
【図９】（ａ）ディスプレイ４の表示（表示Ａ）を示す図、（ｂ）ディスプレイ４の表示（表示Ｂ）を示す図
【図１０】図６に対応する状態遷移表（Ｗａｌｌ）
【図１１】図７，８に対応する状態遷移表（ＵＳＢ）
【図１２】ＳＴがＷＡＬＬである場合におけるＶＢＡＴと時間との関係を示すグラフ
【図１３】ＳＴがＵＳＢである場合におけるＶＢＡＴと時間との関係を示すグラフ
【発明を実施するための形態】
【００２０】
図１は、携帯電話機１の外観を示す図である。
【００２１】
携帯電話機１は、折りたたみ式の筐体２、筐体２の上部に設けられたディスプレイ４および筐体２の下部に設けられた操作キー部６を備える。
【００２２】
ディスプレイ４は、例えば液晶方式の３インチのディスプレイであり、画面に各種表示を行う。
【００２３】
操作キー部６は、ダイヤルキー８、電源キー１０、機能キー群１２を有する。
【００２４】
ダイヤルキー８は、電話番号や文字の入力に用いられる。
【００２５】
電源キー１０は、長押し（例えば、１秒以上押下）により電源のオンオフに用いられる。また通話や操作の終了にも用いられる。
【００２６】
機能キー群１２は、カーソルを上下左右へ移動させるためのカーソルキーや、メール、カメラ、通話などの機能を呼び出すための機能キーを含む。
【００２７】
なお、操作キー部６のダイヤルキー８、電源キー１０、機能キー群１２などの各操作キーは透明樹脂材料が用いられており、各操作キーの底面には操作キーを背面から照らすキーＬＥＤが埋設されている。
【００２８】
図２は、携帯電話機１の充放電制御に関する機能ブロック図である。  
【００２９】
携帯電話機１は、接続端子２０、バッテリ２２、システム電源部２４、充放電制御部３０、システム部５０を機能ブロックとして備える。
【００３０】
接続端子２０は、ＭｉｃｒｏＵＳＢに対応したケーブルの接続のための端子であり、筐体２の側面に設けられている。この接続端子２０は、ＭｉｃｒｏＵＳＢに対応するアダプタケーブル１０１またはＵＳＢケーブル１０３を介してそれぞれＡＣアダプタ１０２またはＰＣ１０４と接続できる。
【００３１】
バッテリ２２は、繰り返し充放電できる２次電池であり、例えばリチウムイオン型バッテリである。
【００３２】
システム電源部２４は、システム部５０の駆動に要する各種電圧値の電圧を供給する。
【００３３】
充放電制御部（充電部）３０は、入力検出部３２、入力ＴＲ制御部３４、バッテリＦＥＴ制御部３６、バッテリレベルモニタ３８、Ａ／Ｄ変換部４０、予備充電回路４２、制御部４４を備える。
【００３４】
入力検出部３２は、接続端子２０へのケーブルの入力（接続）を検出する。
【００３５】
入力ＴＲ（トランジスタ）制御部３４は、入力ＴＲ３５のＯＮ／ＯＦＦを、入力検出部３２が入力を検出している間はＯＮに、検出していない間はＯＦＦに切り替える。
【００３６】
バッテリＦＥＴ制御部３６は、バッテリＦＥＴ３７のＯＮ／ＯＦＦを切り替える。急速充電時にはＯＮに、予備充電（第１、第２予備充電）時にはＯＦＦに切り替える。
【００３７】
バッテリレベルモニタ３８は、Ａ／Ｄ変換部４０が変換したバッテリ２２の電圧レベルを制御部４４に供する。
【００３８】
予備充電回路４２は、外部電源から受けた一定値（例えば、４０ｍＡ，８０ｍＡなど数十ｍＡ程度）の電流をバッテリ２２に供給する。
【００３９】
制御部４４は、充電制御用プログラムを格納するＲＯＭ、プログラムを実行するＣＰＵ、プログラムの作業領域となるＲＡＭなどを備え、充放電制御部３０の各機能ブロックを制御する。また、充電の状態を示すステータス（ＳＴ）をＲＡＭ上で管理する。
【００４０】
上述のように、接続端子２０にはＡＣアダプタ１０２のアダプタケーブル１０１またはＰＣ１０４用のＵＳＢケーブル１０３の２種類を接続できる。接続端子２０にいずれのケーブルが接続されているかの判断は次のようにして行う。
【００４１】
すなわち、接続端子２０は、図３（ａ）に示すように、ＶＢＵＳ端子、一対のデータ線Ｄ＋，Ｄ−、グランド端子ＧＮＤを備えている。図３（ｂ），（ｃ）に示すように、ＡＣアダプタ１０２のアダプタケーブル１０１およびＵＳＢケーブル１０３は、各々、同様にＶＢＵＳ端子、一対のデータ線Ｄ＋，Ｄ−、グランド端子ＧＮＤを備えている。アダプタケーブル１０１の一対のデータ線Ｄ＋，Ｄ−どうしはループバック接続されている。一方、ＵＳＢケーブル１０３の一対のデータ線Ｄ＋，Ｄ−どうしはループバック接続されていない。ここで、図３（ａ）は、ＭｉｃｒｏＵＳＢ接続端子２０の構造を示す図、図３（ｂ）は、ＭｉｃｒｏＵＳＢ接続端子２０の構造とＡＣアダプタ１０２用のアダプタケーブル１０１の構造を示す図、図３（ｃ）は、ＭｉｃｒｏＵＳＢ接続端子２０の構造とＰＣ１０４用のＵＳＢケーブル１０３の構造を示す図である。
【００４２】
このため、入力検出部３２が接続端子２０へのケーブル接続を検出後、接続端子２０のデータ線Ｄ＋にＨｉｇｈの信号を入力して、データ線Ｄ−もＨｉｇｈになると接続端子２０がＡＣアダプタ１０２のアダプタケーブル１０１に接続されていると判断できる。これに対して、接続端子２０のデータ線Ｄ＋にＨｉｇｈの信号を入力しても、データ線Ｄ−がＨｉｇｈにならなければ接続端子２０がＵＳＢケーブル１０３に接続されていると判断できる。
【００４３】
図４は、システム部５０の機能ブロック図である。
【００４４】
システム部５０は、表示制御部５２、操作受付部５４、キーＬＥＤ制御部５６、電源起動部５８、電源起動無効化部６０、無線通信部６２、システム制御部６４、システムＩ／Ｆ（インターフェイス）部６６、ＵＳＢインターフェイス部６８を備える。
【００４５】
表示制御部５２は、ディスプレイ４の表示を制御する。操作受付部５４は、操作キー部６からキー操作を受け付ける。キーＬＥＤ制御部５６は、操作キー部６の各操作キーの底面に配置されるキーＬＥＤの発光を制御する。
【００４６】
電源起動部５８は、電源がオフの状態において、操作受付部５４が電源キー１０の長押しを受け付けた場合に、電源を起動する。電源を起動すると、携帯電話機１のメール機能、カメラ機能、通話機能が使用できるような状態、つまり通常使用できる状態となる。例えば、電源を起動することにより、携帯電話機１は、大電流を要する機能が使用可能となる。なお、大電流を消費する機能として、たとえば無線回路を用いる機能がある。
【００４７】
電源起動無効化部６０は、電源起動部５８による電源の起動を無効化（禁止）する。無効化されている間は、電源キー１０が上記長押しを受け付けたとしても電源は起動されない。つまり、電源起動無効化部６０は、電源起動が無効化されている間は、電源キー１０からの入力信号をキャンセルすることにより、いわばソフトウェア的な処理で、電源起動部５８による電源の起動を無効化する。
【００４８】
無線通信部６２は、例えば高周波の無線通信回路を含み、基地局との通信を行うことで、携帯電話機１の通話機能やメール機能をおこなう。
【００４９】
システム制御部６４は、システム制御用プログラムを格納するＲＯＭ、プログラムを実行するＣＰＵ、プログラムの作業領域となるＲＡＭなどを備え、システム部５０の各機能ブロックを制御する。
【００５０】
システムＩ／Ｆ部６６は、システム電源部２４や充放電制御部３０とのデータのやりとりを行うためのインターフェイスである。システム制御部６４は、このシステムＩ／Ｆ部６６から、入力検出部３２の接続検出の有無、充電の状態（予備充電、急速充電）、バッテリレベルモニタ３８の電圧レベルなどを必要に応じて取得する。システム制御部６４は、取得した情報に基づいて各機能ブロックを制御する。
【００５１】
ＵＳＢインターフェイス部６８は、ＵＳＢのデータ送受信回路である。
【００５２】
図５〜図８は、携帯電話機１の充電に関する処理を示すフローチャートである。なお、図５から図８のフローチャートの各処理は、以下に示される部材により実行される場合に限定されるものではなく、他の部材（例えば、接続端子２０、バッテリ２２、システム電源部２４、充放電制御部３０、システム部５０など）を用いて実行されるとしても良い。
【００５３】
まず、入力検出部３２が接続端子２０へのケーブルの接続を検出すると（Ｓ１１：Ｙｅｓ）、システム制御部６４はシステムＩ／Ｆ部６６を介して制御部４４からその検出の旨を示す信号を取得し電源起動無効化部６０に電源起動を無効化させる（Ｓ１３）。
【００５４】
そして、入力検出部３２は、ＡＣアダプタ１０２のアダプタケーブル１０１に接続されている（Ｗａｌｌ接続）のか、ＵＳＢケーブル１０３に接続されている（ＵＳＢ接続）のかを判断する（Ｓ１４）。この判断は、上述のように両ケーブル１０１，１０３のＤ＋，Ｄ−のループバック接続の有無の違いを利用して行う（図３参照）。
【００５５】
Ｗａｌｌ接続と判断すると（Ｓ１４：Ｗａｌｌ）、制御部４４は、バッテリレベルモニタ３８の電圧レベルＶＢＡＴを読み込む（Ｓ２１）。そして、制御部４４は、ＳＴがＷＡＬＬ０で（Ｓ２２：ＷＡＬＬ０）、ＶＢＡＴが０≦ＶＢＡＴ＜３．２Ｖならば（Ｓ２３：０≦ＶＢＡＴ＜３．２Ｖ）、８０ｍＡの電流での予備充電を開始させる（Ｓ２４）。なお、この８０ｍＡの電流での予備充電のことを、以下、第１予備充電という。
【００５６】
また、上記予備充電を開始させる閾値となる電圧（例えば上記３．２Ｖ）が第１の値である。また、第１予備充電での電流（例えば上記８０ｍＡ）が閾値以上の第１の電流である。この場合、この８０ｍＡが電源起動の無効化を通知するための第１の電流の閾値となる。
【００５７】
また、システム制御部６４は表示制御部５２を介して表示Ａ（図９（ａ）参照）をディスプレイ４に表示させる（Ｓ２５）。そして、制御部４４はＳＴを初期状態を示すＷＡＬＬ０から第１予備充電を示すＷＡＬＬ２に変更する（Ｓ２６）。
【００５８】
ステップＳ２３の判断において、３．２Ｖ≦ＶＢＡＴならば（Ｓ２３：３．２Ｖ≦ＶＢＡＴ）、制御部４４は第１予備充電を行わない。また、システム制御部６４は表示制御部５２を介して表示Ｂ（図９（ｂ）参照）をディスプレイ４に表示させる（Ｓ２７）。そして、制御部４４は初期状態を示すＷＡＬＬ０から急速充電を示すＷＡＬＬ３にＳＴを変更する（Ｓ２８）。
【００５９】
図９（ａ）に示すように、第１予備充電中に行う表示Ａは、「ＢＡＴＴＥＲＹ  ＰＲＥ−ＣＨＡＲＧＩＮＧ」（予備充電中です。）という予備充電中である旨と、「Ｕｎａｂｌｅ  ｔｏ  ｐｏｗｅｒ  ｏｎ」（電源起動できません）と電源起動を受け付けない旨と、「Ｐｌｅａｓｅ  ｗａｉｔ」（しばらくお待ち下さい。）と待機を促す旨と、「−−Ｐｏｗｅｒ  Ｏｆｆ−−」と電源起動していない旨とのメッセージを含んでいる。このメッセージを見たユーザは、電源起動できないことと、電源起動できないのは予備充電中という理由からであることがわかる。また、「Ｐｌｅａｓｅ  ｗａｉｔ」というメッセージにより、ユーザに待つことを促し、予備充電の途中でユーザにより接続端子２０からケーブル１０１，１０３が取り外されて予備充電が中止される可能性を低減できる。また、「Ｐｌｅａｓｅ  ｗａｉｔ」というメッセージにより、ユーザに対して、一定時間待てば、電源起動が可能になる旨を通知することが可能となる。
【００６０】
図９（ｂ）に示すように、急速充電中に行う表示Ｂは、「ＢＡＴＴＥＲＹ  ＣＨＡＲＧＩＮＧ」（充電中です。）と充電中である旨と「−−Ｐｏｗｅｒ  Ｏｆｆ−−」と電源起動していない旨とのメッセージを含んでいる。
【００６１】
このように、図９（ｂ）に示される表示Ｂは、図９（ａ）に示される表示Ａにおける「Ｕｎａｂｌｅ  ｔｏ  ｐｏｗｅｒ  ｏｎ」（電源起動できません）というメッセージを含まないため、電源起動が可能である旨をユーザに示すことができる。
【００６２】
もちろん、ディスプレイ４に表示する表示としては、図９（ａ）に示される表示Ａや、図９（ｂ）に示される表示Ｂに限定されるものではない。たとえば、急速充電中に行う表示は、「Ａｂｌｅ  ｔｏ  ｐｏｗｅｒ  ｏｎ」と電源起動が可能である旨のメッセージを含んでもよい。また、表示には、たとえば図、記号、他の言語またはこれらの任意の組み合わせなどを用いることができる。
【００６３】
制御部４４は、ＳＴがＷＡＬＬ２で（Ｓ２２：ＷＡＬＬ２）、ＶＢＡＴが０≦ＶＢＡＴ＜３．２Ｖならば（Ｓ２９：０≦ＶＢＡＴ＜３．２Ｖ）、ステップＳ２２に戻って、第１予備充電を続行する。第１予備充電によりＶＢＡＴが３．２Ｖ≦ＶＢＡＴとなれば（Ｓ２９：３．２Ｖ≦ＶＢＡＴ）、制御部４４は第１予備充電を終了させる（Ｓ３０）。また、システム制御部６４は表示制御部５２を介して表示Ａを表示Ｂへと変更する（Ｓ３１）。そして、制御部４４はＳＴをＷＡＬＬ２からＷＡＬＬ３に変更する（Ｓ３２）。
【００６４】
制御部４４は、ＷＡＬＬ３の状態に変更後（Ｓ２８，Ｓ３２）、バッテリＦＥＴ３７をオンにして（Ｓ３３）、５００ｍＡでの急速充電を開始させる（Ｓ３４）。なお、この急速充電での電流（例えば上記５００ｍＡ）が第２の電流である。
【００６５】
システム制御部６４は、制御部４４からＷＡＬＬ３の状態を取得すると、電源起動無効化部６０による電源起動の無効化を中止させる（Ｓ３５）。この中止により電源起動部５８は、電源起動を受け付けられるようになる。
【００６６】
図５に示すように、入力検出部３２は、ＵＳＢ接続と判断すると（Ｓ１４：ＵＳＢ）、制御部４４は、バッテリレベルモニタ３８の電圧レベルＶＢＡＴを読み込む（Ｓ４１）。そして、制御部４４は、ＳＴがＵＳＢ０で（Ｓ４２：ＵＳＢ  ０）、ＶＢＡＴが０≦ＶＢＡＴ＜２．８Ｖならば（Ｓ４３：０≦ＶＢＡＴ＜２．８Ｖ）、４０ｍＡの電流での予備充電を開始させる（Ｓ４４）。なお、この４０ｍＡの電流での予備充電のことを、以下、第２予備充電ともいう。制御部４４はＳＴを初期状態を示すＵＳＢ０から第２予備充電を示すＵＳＢ１に変更する（Ｓ４５）。なお、この第２予備充電における電流（例えば上記４０ｍＡの電流）が、閾値よりも小さい第１の電流である。
【００６７】
このように、ＶＢＡＴが０≦ＶＢＡＴ＜２．８Ｖの第２予備充電中には、ディスプレイ４をオンにせず、ディスプレイ４に何も表示しない。ＵＳＢ規格で、ホストＰＣからのＶＢＵＳ電流供給能力が最大１００ｍＡに制限されている。つまり、ＶＢＡＴが特に低い場合に画面表示を行うと、第２予備充電中であっても、ディスプレイ４の画面表示のために必要な電流を確保できない場合がある。そこで、本実施形態では、第２予備充電中には、ディスプレイ４をオンにせず、安定した予備充電を可能としている。
【００６８】
ＶＢＡＴが２．８≦ＶＢＡＴ＜３．２Ｖならば（Ｓ４３：２．８≦ＶＢＡＴ＜３．２Ｖ）、８０ｍＡでの第１予備充電（Ｓ４６）、表示Ａの表示（Ｓ４７）、ＳＴのＵＳＢ０→ＵＳＢ２の変更を行う（Ｓ４８）。
【００６９】
ＶＢＡＴが３．２≦ＶＢＡＴならば（Ｓ４３：３．２≦ＶＢＡＴ）、予備充電は行わず、表示Ｂの表示（Ｓ４９）、ＳＴのＵＳＢ０→ＵＳＢ３の変更を行う（Ｓ５０）。この場合はＶＢＡＴが比較的大きい場合であり、バッテリＦＥＴ３７をＯＮにし（Ｓ６８）、５００ｍＡの急速充電に移行する（Ｓ６９）。なお、前述のようにこの急速充電での電流（例えば上記５００ｍＡ）が第２の電流である。
【００７０】
ＳＴがＵＳＢ１で（Ｓ４２：ＵＳＢ１）、ＶＢＡＴが０≦ＶＢＡＴ＜２．８Ｖならば（Ｓ５１：０≦ＶＢＡＴ＜２．８Ｖ）、ステップＳ４２に戻る。
【００７１】
ＶＢＡＴが２．８Ｖ≦ＶＢＡＴならば（Ｓ５１：２．８≦ＶＢＡＴ）、８０ｍＡでの第１予備充電（Ｓ５２）、表示Ａの表示（Ｓ５３）、ＳＴのＵＳ→ＵＳＢ２の変更を行う（Ｓ５４）。
【００７２】
ＳＴがＵＳＢ２で（Ｓ４２：ＵＳＢ２）、ＶＢＡＴが０≦ＶＢＡＴ＜３．２Ｖならば（Ｓ６１：０≦ＶＢＡＴ＜３．２Ｖ）、ステップＳ４２に戻る。
【００７３】
ＶＢＡＴが３．２Ｖ≦ＶＢＡＴならば（Ｓ６１：３．２Ｖ≦ＶＢＡＴ）、予備充電は行わず（Ｓ６５）、表示Ｂの表示（Ｓ６６）、ＳＴのＵＳＢ２→ＵＳＢ３の変更を行う（Ｓ６７）。
【００７４】
制御部４４は、ＳＴ  をＵＳＢ３の状態に変更すると、ＵＳＢインターフェイス部６８を介してＰＣ１０４（ホストＰＣ）とＵＳＢ接続処理をおこない、ＰＣ１０４に対してＶＢＵＳ電流供給能力を１００ｍＡから５００ｍＡに増やす要求を行う。該要求が認められれば、制御部４４は、バッテリＦＥＴ３７をオンにして、５００ｍＡの急速充電を行う。
【００７５】
すなわち、制御部４４は、ＳＴ  をＵＳＢ３の状態に変更すると（Ｓ６７）、バッテリＦＥＴ３７をオンにして（Ｓ６８）急速充電を開始させる（Ｓ６９）。そしてシステム制御部６４は、制御部４４からＵＳＢ３の状態を取得すると、電源起動無効化部６０による電源起動の無効化を中止させる（Ｓ７０）。この中止により電源起動部５８は、電源起動を受け付けられるようになる。
【００７６】
図１０，図１１に、携帯電話機１の充電に関する状態遷移表を示す。図１０の状態遷移表は図６のフローチャートに対応し、図１１の状態遷移表は図７，図８のフローチャートに対応している。
【００７７】
図１０，図１１において、「表示」の欄の「ＯＦＦ」とは、ディスプレイ４に充電に関する表示がなされていない状態を示す。「表示」の欄の「Ａ」とは、ディスプレイ４に図９（ａ）に示される表示Ａがなされている状態を示し、「表示」の欄の「Ｂ」とは、ディスプレイ４に図９（ｂ）に示される表示Ｂがなされている状態を示す。
【００７８】
「表示」の欄の「ＯＦＦ→Ａ」とは、ディスプレイ４の表示がＯＦＦ状態から表示Ａの状態になることを示し、「表示」の欄の「ＯＦＦ→Ｂ」とは、ディスプレイ４の表示がＯＦＦ状態から表示Ｂの状態になることを示す。
【００７９】
また、図１０，図１１における矢印「→」の表示は、ＶＢＡＴの値が各欄の範囲内である場合に、矢印元の状態から遷移して矢印先の状態になることを示している。また、横棒線「−」の表示は、遷移（変化）しないことを意味する。
【００８０】
図１２は、ＳＴがＷＡＬＬである場合におけるＶＢＡＴと時間との関係を示すグラフであり、図１３は、ＳＴがＵＳＢである場合におけるＶＢＡＴと時間との関係を示すグラフである。
【００８１】
このように、本実施の形態によれば、第１予備充電中には、表示Ａ（図９（ａ）参照）の表示を行うため、ユーザに電源起動が無効化されていることを通知できる。この通知によりユーザは電源起動ができないことを理解することができる。そのため、ユーザに故障ではないかという不安を抱かせずに、電源起動を安定して行いにくい状況下において、ユーザによって電源が起動されることを低減することができ、利便性が向上する。
【００８２】
本実施の形態においては、ディスプレイ４の表示Ａにより電源起動が無効化されている旨などの通知がなされるが、該通知は、操作キー部６のキーＬＥＤを利用しても構わない。
【００８３】
たとえば、操作キー部６のキーＬＥＤの発光色を、第１予備充電中は黄色（発光色Ａ）に発光させ、急速充電中は赤色（発光色Ｂ）に発光させることによって通知しても構わない。もちろん、これらの色は適宜変更して他の色を用いるとしても良い。なお、キーＬＥＤを用いる場合、ディスプレイ４をオンにせず、キーＬＥＤのみによって通知しても、キーＬＥＤおよびディスプレイ４の表示の両方を用いて通知しても構わない。
【００８４】
また、電源起動が無効化されている旨やバッテリが充電されている旨などの通知は、ユーザの五感に訴えて通知できる手段であれば視覚に訴える表示に限らず、聴覚に訴えるもの等を単独で、又は適宜組み合わせてもよいし、例えば音声により電源起動が無効化されている旨などを通知するとしても構わない。
【００８５】
本実施の形態においては、共に定電流充電の予備充電から急速充電に移行する充電の方式を例に挙げて説明したが、充電の方式はこれに限られず、２次電圧の電圧が低く電源起動を無効化する必要がある状況下では同様に適用できる。
【００８６】
本実施の形態においては特に述べなかったが、第１予備充電中であっても普段は表示Ａを表示せずに、操作キー部６の操作キーの押下の受け付けを契機に一定時間（例えば５秒程度）の間だけ表示Ａをディスプレイ４に表示するようにしても構わない。たとえば、電源キー１０の押下の受け付けを契機に表示Ａを表示しても構わない。
【００８７】
本実施の形態においては特に述べなかったが、ＵＳＢ接続における充電においては、ＵＳＢの規格上、コネクション確立前に供給できる最大電流は１００ｍＡであり、コネクション確立後に供給できる最大電流は数百ｍＡ（例えば４００ｍＡ）である。
【００８８】
このため、コネクション確立前の場合やコネクションを確立できない場合には、１００ｍＡしか供給されないので、８０ｍＡの電流での第１予備充電ができないことがある。従ってＶＢＡＴが２．８Ｖ以上になったとしても（Ｓ４３：２．８≦ＶＢＡＴ＜３．２Ｖ）、４０ｍＡの電流により第２予備充電して（Ｓ４４）、表示Ａの表示を行わないとしてもよい。  実施の形態においては、電子機器の一例として携帯電話機１を例に挙げて説明したが、デジタルカメラ、ゲーム機、音楽プレーヤ、ｐｅｒｓｏｎａ  ｄｉｇｉｔａｌ  ａｓｓｉｓｔａｎｃｅ（ＰＤＡ）、ｐｅｒｓｏｎａｌ  ｈａｎｄｙ  ｐｈｏｎｅ  ｓｙｓｔｅｍ（ＰＨＳ）、コンピュータなど他の電子機器でも本発明は適用できる。
【００８９】
本実施の形態では、ＶＢＡＴの閾値として３．２Ｖ（第１の値）や２．８Ｖなどを用いたが、これらの値は例示であり、閾値として他の適宜な値を用いることもできる。また、第１予備充電中の充電電流（第１の電流）として、８０ｍＡ（第１の電流の閾値）を用い、第２予備充電の充電電流（閾値よりも小さい第１の電流）として、４０ｍＡを用いたが、これらの値は例示であり、予備充電の電流（第１の電流）として他の適宜な電流値を用いることができる。
【００９０】
また、急速充電における充電電流（第２の電流）として５００ｍＡを用いたが、急速充電の電流値は、他の適宜な電流値を用いることができる。
【００９１】
本実施形態においては、電源起動無効化部６０は、電源起動が無効化されている間は、電源キー１０からの入力信号をキャンセルすることにより、いわばソフトウェア的な処理で、電源起動部５８による電源の起動を無効化するとしたが、本発明はこのような場合に限定されるものではない。つまり、電源起動が無効化されている間は、電源起動無効化部６０又はその他の適宜なキー制御部は、電源キー１０からの出力信号を伝送する信号線の電圧変化が発生しないようにこの信号線に電圧を印加するなどハードウェア的に制御して、電源起動部５８による電源の起動を無効化するとしても良い。
【００９２】
また、本実施形態においては、ＵＳＢ接続時であって、２次電池の充電電流である第１の電流が閾値を下回る場合は、通知部は前記通知を行わない。しかしながら、ＵＳＢ接続時であって、２次電池の充電電流である第１の電流が閾値を下回る場合に、２次電池の充電電流である第１の電流の値が閾値以上の時に用いられる通知と異なる方法で、前記通知を行っても構わない。たとえば、２次電池の充電電流である第１の電流が閾値以上の時には、ディスプレイ４の表示によって通知を行い、２次電池の充電電流である第１の電流が閾値を下回る時には、キーＬＥＤによって通知を行ってもよい。
【符号の説明】
【００９３】
１  携帯電話機（電子機器）
４  ディスプレイ
６  操作キー部
１０  電源キー
２０  接続端子
２２  バッテリ（２次電池）
３０  充放電制御部
３８  バッテリレベルモニタ
４２  予備充電回路
４４  制御部
５０  システム部
５２  表示制御部
５４  操作受付部
５８  電源起動部
６０  電源起動無効化部
６４  システム制御部
【図１】
2010200602.tif 000003
【図２】
2010200602.tif 000004
【図３】
2010200602.tif 000005
【図４】
2010200602.tif 000006
【図５】
2010200602.tif 000007
【図６】
2010200602.tif 000008
【図７】
2010200602.tif 000009
【図８】
2010200602.tif 000010
【図９】
2010200602.tif 000011
【図１０】
2010200602.tif 000012
【図１１】
2010200602.tif 000013
【図１２】
2010200602.tif 000014
【図１３】
2010200602.tif 000015